(57)【要約】【課題】搬送用の薬剤収納体毎に薬剤の取り揃えと調剤作業管理を行える調剤支援システムを提供すること。【解決手段】調剤支援システムとして、処方発生部１０１と薬剤払出部１０３と薬剤補充部１０４を備え、処方発生部１０１での処方発生ステップと、薬剤払出部１０３での薬剤払出ステップ，払出記録ステップと、薬剤補充部１０４での取揃人認証ステップ，取揃提示ステップ，取揃記録ステップ，取揃監査人認証ステップ，取揃監査提示ステップ，取揃監査記録ステップ、を含んで構成することにより、薬剤搬送に用いる薬剤収納体毎に調剤作業管理を行いながら直接的に薬剤を取り揃えることができる。【選択図】図１
2010233786.tif 000002
【特許請求の範囲】
【請求項１】
調剤指示情報を含む処方指示を発生させる処方発生部と、
情報保存デバイスを有する薬剤収納体に前記処方指示に応じて払出薬剤収納器から取り出した払出薬剤を入れる薬剤払出手段と、前記情報保存デバイスに前記調剤指示情報と前記払出薬剤の払出情報とに関係する管理情報を記録する払出記録手段と、を備える薬剤払出部と、
取揃人を認証する取揃人認証手段と、前記情報保存デバイスの保存情報に基づいて前記薬剤収納体の補充薬剤情報を提示する取揃提示手段と、取揃人情報を含む取揃情報を前記情報保存デバイスに記録する取揃記録手段と、取揃監査人を認証する取揃監査人認証手段と、前記情報保存デバイスの保存情報に基づいて前記薬剤収納体に取り揃える取揃薬剤情報を提示する取揃監査提示手段と、取揃監査人情報を含む取揃監査情報を前記情報保存デバイスに記録する取揃監査記録手段と、を備える薬剤補充部と、
から構成されることを特徴とする調剤支援システム。
【請求項２】
調剤指示情報を含む処方指示を発生させる処方発生部と、
情報保存デバイスを有する薬剤収納体に前記処方指示に応じて払出薬剤収納器から取り出した払出薬剤を入れる薬剤払出手段と、前記情報保存デバイスに前記調剤指示情報と前記払出薬剤の払出情報とに関係する管理情報を記録する払出記録手段と、を備える薬剤払出部と、
取揃人を認証する取揃人認証手段と、前記情報保存デバイスの保存情報に基づいて前記薬剤収納体の補充薬剤情報を提示する取揃提示手段と、取揃人情報を含む取揃情報を前記情報保存デバイスに記録する取揃記録手段と、取揃監査人を認証する取揃監査人認証手段と、前記情報保存デバイスの保存情報に基づいて前記薬剤収納体に取り揃える取揃薬剤情報を提示する取揃監査提示手段と、取揃監査人情報を含む取揃監査情報を前記情報保存デバイスに記録する取揃監査記録手段と、を備える薬剤補充部と、
混合人を認証して登録者情報と比較チェックする混合人認証手段と、前記情報保存デバイスの保存情報に基づいて前記薬剤収納体の混合薬剤情報を提示する混合提示手段と、混合人情報を含む混合情報を前記情報保存デバイスに記録する混合記録手段と、混合監査人を認証する混合監査人認証手段と、前記情報保存デバイスの保存情報に基づいて前記薬剤収納体の混合薬剤の混合監査薬剤情報を提示する混合監査提示手段と、混合監査人情報を含む混合監査情報を前記情報保存デバイスに記録する混合監査記録手段と、を備える薬剤混合部と、
から構成されることを特徴とする調剤支援システム。
【請求項３】
調剤指示情報を含む処方指示を発生させる処方発生部と、
情報保存デバイスを有する薬剤収納体に前記処方指示に応じて払出薬剤収納器から取り出した払出薬剤を入れる薬剤払出手段と、前記情報保存デバイスに前記調剤指示情報と前記払出薬剤の払出情報とに関係する管理情報を記録する払出記録手段と、を備える薬剤払出部と、
取揃人を認証して登録者情報と比較チェックする取揃人認証手段と、前記情報保存デバイスの保存情報に基づいて前記薬剤収納体の補充薬剤情報を提示する取揃提示手段と、取揃人情報を含む取揃情報を前記情報保存デバイスに記録する取揃記録手段と、取揃監査人を認証する取揃監査人認証手段と、前記情報保存デバイスの保存情報に基づいて前記薬剤収納体に取り揃える取揃薬剤情報を提示する取揃監査提示手段と、取揃監査人情報を含む取揃監査情報を前記情報保存デバイスに記録する取揃監査記録手段と、を備える薬剤補充部と、
前記情報保存デバイスの保存情報に基づいて前記薬剤収納体の搬送可否情報を提示する搬送提示手段を備える薬剤搬送部と、
から構成されることを特徴とする調剤支援システム。
【請求項４】
調剤指示情報を含む処方指示を発生させる処方発生部と、
情報保存デバイスを有する薬剤収納体に前記処方指示に応じて払出薬剤収納器から取り出した払出薬剤を入れる薬剤払出手段と、前記情報保存デバイスに前記調剤指示情報と前記払出薬剤の払出情報とに関係する管理情報を記録する払出記録手段と、を備える薬剤払出部と、
取揃人を認証する取揃人認証手段と、前記情報保存デバイスの保存情報に基づいて前記薬剤収納体の補充薬剤情報を提示する取揃提示手段と、取揃人情報を含む取揃情報を前記情報保存デバイスに記録する取揃記録手段と、取揃監査人を認証する取揃監査人認証手段と、前記情報保存デバイスの保存情報に基づいて前記薬剤収納体に取り揃える取揃薬剤情報を提示する取揃監査提示手段と、取揃監査人情報を含む取揃監査情報を前記情報保存デバイスに記録する取揃監査記録手段と、を備える薬剤補充部と、
混合人を認証する混合人認証手段と、前記情報保存デバイスの保存情報に基づいて前記薬剤収納体の混合薬剤情報を提示する混合提示手段と、混合人情報を含む混合情報を前記情報保存デバイスに記録する混合記録手段と、混合監査人を認証する混合監査人認証手段と、前記情報保存デバイスの保存情報に基づいて前記薬剤収納体の混合薬剤の混合監査薬剤情報を提示する混合監査提示手段と、混合監査人情報を含む混合監査情報を前記情報保存デバイスに記録する混合監査記録手段と、
を備える薬剤混合部と、
前記情報保存デバイスの保存情報に基づいて前記薬剤収納体の搬送可否情報を提示する搬送提示手段を備える薬剤搬送部と、
から構成されることを特徴とする調剤支援システム。
【請求項５】
前記薬剤収納体は、薬剤を収納して搬送可能なトレイであること
を特徴とする請求項１から４のいずれかに記載の調剤支援システム。
【請求項６】
前記薬剤収納体の情報保存デバイスは、ＲＦＩＤタグであること
を特徴とする請求項１から５のいずれかに記載の調剤支援システム。
【請求項７】
前記取揃人認証手段、前記取揃監査人認証手段、前記混合人認証手段、前記混合監査人認証手段の少なくとも１つが虹彩認証を用いた認証手段であること
を特徴とする請求項１から６のいずれかに記載の調剤支援システム。
【発明の詳細な説明】
【技術分野】
【０００１】
本発明は、患者への医療薬剤を準備する調剤を支援するシステムに関するものである。
【背景技術】
【０００２】
従来の調剤支援システムとしては、処方箋に対応した薬品を取り揃えることを支援する薬品設置システムがある（例えば、特許文献１参照。）。
【０００３】
特許文献１の薬品設置システムについて、図１６，１７を用いて説明する。図１６において、バーコードリーダ１４により注射箋１５のバーコードを読み取る。そして、読み取ったバーコード情報に基づいて、情報処理装置１２はサーバ装置１１に検索に行く。サーバ装置１１は、バーコード情報を受信し、予め保存された薬品情報管理表を検索し、薬品情報を情報処理装置１２に送る。図１７の情報処理装置１２は、送られた薬品情報を受信し、分割されたウィンドウに薬品情報を表示する。トレイ１３は、薬品情報の表示に対応して区切られている。具体的には、情報処理装置１２は９個の領域に分割表示されており、トレイ１３はそれに対応して９個の領域に区分されている。
【０００４】
以上の状況において、画面上の薬品情報の表示を見ながら、看護師が薬品を持参して、画面上に表示されているウィンドウ領域に対応するトレイの領域に設置する。情報処理装置１２の分割表示された各領域にはそれぞれ１個の薬品情報が表示され、対応するトレイ１３の各領域には１個の薬品を設置するようにされている。看護師がトレイの領域に１個の薬品を設置すると、トレイ１３のタグリーダは薬品の瓶等に貼付されたタグを読み取る。情報処理装置１２は、トレイ１３の各領域に設置されたそれぞれの薬品が正しい薬品であるか、有効期限が過ぎてないか、を判断して表示する。
【特許文献１】特開２００４−７０８０３号公報
【発明の概要】
【発明が解決しようとする課題】
【０００５】
しかしながら、上述の従来の構成では、トレイ１３は薬品を集めるための一時的な置場でしかなく、病棟の患者に届けるためにトレイ１３の薬品を搬送用の別容器に移し替える必要がある。この移し替え作業は煩雑であり、看護師の仕事を増やすことになる。また、移し替えを慎重に行わないと、薬品容器（瓶やアンプルやバイアルなど）の衝突が生じ、薬品容器の割れや欠けなどの破損の原因になっている。
【０００６】
さらに、上述の従来の構成では、患者毎の調剤作業の管理が不十分であり、調剤作業の情報管理や進行管理が十分にできていない。
【０００７】
本発明は、これらの課題を解決するものであり、薬剤（薬品）を搬送するための薬剤収納体毎に調剤作業管理を行うことを可能にした調剤支援システムを提供することを目的とする。
【課題を解決するための手段】
【０００８】
上記目的を達成するために、本発明の調剤支援システムは、調剤指示情報を含む処方指示を発生させる処方発生部と、情報保存デバイスを有する薬剤収納体に前記処方指示に応じて払出薬剤収納器から取り出した払出薬剤を入れる薬剤払出手段と、前記情報保存デバイスに前記調剤指示情報と前記払出薬剤の払出情報とに関係する管理情報を記録する払出記録手段と、を備える薬剤払出部と、取揃人を認証する取揃人認証手段と、前記情報保存デバイスの保存情報に基づいて前記薬剤収納体の補充薬剤情報を提示する取揃提示手段と、取揃人情報を含む取揃情報を前記情報保存デバイスに記録する取揃記録手段と、取揃監査人を認証する取揃監査人認証手段と、前記情報保存デバイスの保存情報に基づいて前記薬剤収納体に取り揃える取揃薬剤情報を提示する取揃監査提示手段と、取揃監査人情報を含む取揃監査情報を前記情報保存デバイスに記録する取揃監査記録手段と、を備える薬剤補充部と、から構成されることを特徴とする。
【発明の効果】
【０００９】
以上のように、本発明の調剤支援システムによれば、薬剤収納体毎に調剤作業と進行管理を行うことができる。
【発明を実施するための最良の形態】
【００１０】
以下、本発明の実施の形態について、図面を参照しながら説明する。なお、以下の説明においては同じ構成には同じ符号を付して説明を省略している。
【００１１】
（実施の形態１）
図１は、本発明の実施の形態１における調剤支援システムの構成図である。
【００１２】
図１において、処方発生部１０１は、患者に対する医師の処方に基づいて処方コードを有する調剤指示情報を作成し、調剤指示情報を含んだ処方指示を発生させる構成である。処方発生部１０１は、調剤指示情報を含んだ処方指示を薬剤払出部１０３に通信する。調剤指示情報は、医師の処方箋に対応した処方コードと処方箋に基づいた患者への施薬情報を含んだ情報であり、薬剤名やその個数や薬剤混合処理内容などの調剤に関係する情報である。調剤指示情報に患者名や患者毎の薬歴などの患者情報を必要に応じて含ませても良い。なお、本実施の形態においては、薬剤の個数は薬剤の分量を含んだ意味で使用し、薬剤は薬品を含んだ意味で使用する。
【００１３】
図７に実施の形態１における処方発生部１０１でのフローチャートを示す。処方発生部１０１では、
（ステップＳ１）調剤指示情報を含んだ処方指示を発生する処方発生ステップ、
（ステップＳ２）処方指示を薬剤払出部１０３に通信する処方通信ステップ、
が行なわれる。
【００１４】
薬剤払出部１０３は、所定種類の薬剤を、所定の払出薬剤収納器１１０１に瓶、ボトル、アンプル、バイアルなどの形で保管収納している構成である。薬剤払出部１０３は、処方発生部１０１の処方指示に応じて払出薬剤収納器１１０１から薬剤を払出して薬剤収納体１２０に入れる。薬剤収納体１２０は固有のＩＤコード（識別コード）を有するＲＦＩＤタグ１２１（情報保存デバイス）が取り付けられている。
【００１５】
薬剤払出部１０３では、薬剤収納体１２０が外から運び込まれる際（薬剤収納体１２０に薬剤を払出す前）に、薬剤収納体１２０のＲＦＩＤタグ１２１に所要のダミー情報を記録して、ＩＤコード以外の不要な保存情報をクリアする（不要情報クリア）。
【００１６】
その後、薬剤払出部１０３は払出薬剤名とその個数の払出情報と調剤指示情報とに関連する管理情報を、薬剤収納体１２０のＲＦＩＤタグ１２１に記録する。なお、薬剤収納体１２０は、搬送用のトレイとして図示および説明するが、薬剤を収納して搬送する収納体であれば使用可能であり、例えば搬送用の薬袋や搬送用のボックスであっても良い。なお、薬剤払出部１０３は、調剤指示情報と払出情報とに関連する管理情報を記録すると同時またはその後にダミー情報を記録して、ＲＦＩＤタグ１２１の不要な保存情報をクリアしてもよい。
【００１７】
図２に薬剤払出部１０３の主要部分の構成図を示す。薬剤払出部１０３の払出動作器１１００は、払出薬剤収納器１１０１を６個有し、各払出薬剤収納器には同一の薬剤（例えば、注射用の薬剤）が複数個収納されている。ベルトコンベア１１０２は、コンベア上に置かれた薬剤収納体１２０を薬剤払出部１０３の払出動作器１１００に取り込む（以下、これを薬剤収納体取込と称す。）。薬剤収納体１２０に取り付けられたＲＦＩＤタグ１２１は薬剤収納体毎に付与されたＩＤコードを記録保持している。薬剤払出部１０３の払出通信器１１０３は処方発生部１０１より処方指示情報を受け取る。そして、払出動作器１１００は、処方指示情報に基づいて、保管されている薬剤の払出を行う。払出動作器１１００は、ＲＦＩＤタグ１２１にダミー情報を記録し、ＩＤコード以外の不要な保存情報をクリアする。その後に、払出動作器１１００は、払出情報と処方指示情報とに関連する管理情報をＲＦＩＤタグ１２１に記録する。ベルトコンベア１１０２は、払出後の薬剤収納体１２０を払出動作器１１００から取り出す（以下、これを薬剤収納体取出と称す。）。
【００１８】
図３に薬剤払出部１０３の薬剤払出し方法の説明図を示す。ロボットアーム１１０６は、処方指示情報に応じて、払出薬剤収納器１１０１ａに収納されている薬剤１１３０を１個取り出して薬剤収納体１２０に入れ、払出薬剤収納器１１０１ｂに収納されている薬剤１１３１を１個取り出して薬剤収納体１２０に入れる。ＲＦＩＤリーダライタ１１０７（情報保存デバイスの読取書込器）は、薬剤収納体１２０のＲＦＩＤタグ１２１に払出薬剤名とその個数の払出情報と処方指示情報とに関連する薬剤収納体１２０の管理情報を記録する。ここで、薬剤収納体１２０のＲＦＩＤタグ１２１は管理情報を記録・再生・保存する情報保存デバイスである。また、ＲＦＩＤリーダライタ１１０７は薬剤収納体１２０のＲＦＩＤ１２１の情報を読み取るデバイス読取器であると共にＲＦＩＤタグ１２１に情報を記録するデバイス記録器である。薬剤収納体１２０の情報保存デバイスには、非接触式のＲＦＩＤタグに限らず、接触式のＩＤタグなどの情報を記録・再生・保存できるデバイスを使用することが可能であり、本発明に含まれる。また、多関節型のロボットアーム１１０６によって払出薬剤収納器から払出薬剤を払い出す場合に限らず、直交型のロボットなど他の払出し機構を用いても良い。
【００１９】
ここで、ＲＦＩＤタグ１２１とＲＦＩＤリーダライタ１１６０とを詳しく説明するために、図１２に非接触式のＲＦＩＤタグの構成例を示す。ＲＦＩＤタグ１２１のアンテナ回路１１７１はＲＦＩＤリーダライタ１１６０の電磁波を受け取り、整流電源回路１１７３が受信電磁波を整流平滑してＲＦＩＤタグ１２１内で使用する電源電圧を作り出す。ＲＦＩＤタグ１２１に情報を書き込む場合に、変調復調回路１１７４はアンテナ回路１１７１の受信電磁波から信号復調し、記録情報信号をメモリ制御回路１１７５に伝える。メモリ制御回路１１７５は記録情報信号を不揮発性メモリ１１８０の所要の格納エリアに記録する。これにより、不揮発性メモリ１１８０はＲＦＩＤリーダライタ１１６０から送られたデジタル情報を記録され、管理情報として保存する。
【００２０】
ＲＦＩＤタグ１２１から情報を読み取る場合に、ＲＦＩＤリーダライタ１１６０からの受信電磁波により、整流電源回路１１７３は所要の電力を発生させる。変調復調回路１１７４はＲＦＩＤリーダライタ１１６０からの受信電磁波に含まれる読取要求信号を復調し、メモリ制御回路１１７５に伝える。読取要求信号に応じて、メモリ制御回路１１７５は不揮発性メモリ１１８０に保存されている所要の管理情報を読み出し、変調復調回路１１７４に出力する。変調復調回路１１７４は所要の管理情報を高周波信号に変調し、アンテナ回路１１７１から電磁波信号として発信する。ＲＦＩＤリーダライタ１１６０はＲＦＩＤタグ１２１から発信された電磁波信号を受信し、復調して必要な情報を読み取る。これにより、ＲＦＩＤリーダライタ１１６０は不揮発性メモリ１１８０に保存されているデジタル情報を読み取ることができる。
【００２１】
続いて、図８に薬剤払出部１０３でのフローチャートを示す。薬剤払出部１０３では、
（ステップＡ１）ＲＦＩＤタグ１２１（情報保存デバイス）を有する薬剤収納体１２０を使用し、処方指示（処方指示情報）に応じて払出薬剤収納器１１０１から払出薬剤を払出して薬剤収納体１２０に入れる薬剤払出ステップ、
（ステップＡ２）薬剤収納体１２０のＲＦＩＤタグ１２１（情報保存デバイス）に、ダミー情報を記録して不要な保存情報をクリアする不要情報クリアステップ、
（ステップＡ３）薬剤収納体１２０のＲＦＩＤタグ１２１（情報保存デバイス）に、処方指示の処方指示情報と薬剤収納体１２０に入れた薬剤の払出情報とに関係する管理情報を記録する払出記録ステップ、
が行なわれる。ここで、不要情報クリアステップ（ステップＡ２）は、払出記録ステップ（ステップＡ３）で記録した管理情報を保持しながら、ダミー情報の記録により不要な保存情報をクリアすることもできる。それにより、不要情報クリアステップを払出記録ステップの後に行なうこともできる。
【００２２】
図１の薬剤補充部１０４において、薬剤払出部１０３から取り出された薬剤収納体１２０に不足薬剤を補充する。処方指示の調剤指示情報には、劇薬（激しい薬理作用を持つ薬剤）などに該当する薬剤が含まれているが、これらは厳重な管理が必要な管理薬であり、薬剤払出部１０３により簡易に払い出すことが出来ない。そのため、薬剤補充部１０４において厳重な管理を行いながら、限られた薬剤師や看護師によって補充取揃される必要がある。また、保冷の必要な輸液パック薬も薬剤補充部１０４において補充取揃される。
【００２３】
図４に薬剤補充部１０４で使用する薬剤補充棚１２００の構成図を示す。薬剤搬送体１２０は取揃人によって薬剤補充棚１２００に運ばれる。取揃人は虹彩認証を行う人認証器１２０２によって認証を行う。人認証器１２０２は取揃人の認証情報を登録者情報と比較し、補充取揃を許可されているか否かをチェックする。登録者情報には、作業許可されている薬剤師や看護師の虹彩情報と所属や氏名などが登録されている。登録されていない人が認証動作を行った場合には、「不許可」を取揃表示器１２０３に表示する。登録されている人が認証動作を行った場合には、「許可」を取揃表示器１２０３に表示し、以下の作業を許可する。ここで、人認証器１２０２の認証方法は、虹彩認証に限らず、指紋認証や静脈認証などを用いても良い。また、セキュリティカードによる人認証も可能であり、本発明に含まれる。
【００２４】
作業が許可された取揃人は、薬剤収納体１２０を所定の置き場所（図４の破線部分）に置く。ＲＦＩＤリーダライタ１２０１は薬剤収納体１２０のＲＦＩＤタグ１２１の保存している管理情報を読み取る。ＲＦＩＤタグ１２１の保存する管理情報に基づいて、所定の置き場所に置かれている薬剤収納体１２０の補充薬剤情報を取揃表示器１２０３に表示する。図１３に取揃表示器１２０３での補充薬剤情報の提示画面１９５１を示す。図１３に示す状態では、補充すべき薬剤は、薬剤Ｃが１個と薬剤Ｄが１個と輸液パックＥが１個である。
【００２５】
人認証器１２０２によって取揃人の作業が許可されると、管理薬剤棚ケース１２０６と保冷棚ケース１２０７はロックを解除される。取揃人は、取揃表示器１２０３の表示を参照しながら、まず、管理薬剤棚ケース１２０６や保冷棚ケース１２０７から必要な薬剤を取り出す。取揃人は、取り出した薬剤をバーコードリーダ１２０８に通して正しい補充薬剤であるか否かをチェックする。取揃表示器１２０３は、バーコードリーダ１２０８を通した薬剤が補充薬剤に該当していれば「ＯＫ」を表示し、補充薬剤に該当していなければ「ＮＧ」を表示する。取揃人は、「ＯＫ」の場合に取り出した薬剤を薬剤収納体１２０に入れる。薬剤の補充をすべて終えると、取揃人はボタン１２０９を押し、補充取揃を終了する。ＲＦＩＤリーダライタ１２０１は、取揃人情報を含む取揃情報を薬剤収納体１２０のＲＦＩＤタグ１２１に管理情報として記録保存する。ここで、取揃人情報を含む取揃情報に、補充薬剤名やその個数やその取揃日時などを必要に応じて含めて記録保存する。また、バーコードリーダ１２０８は薬剤のコードを読み取る薬剤コード読取器である。薬剤の薬剤コードは、薬剤の瓶などにバーコードを貼り付けた形式に限らず、ＲＦＩＤタグなど別の記録体に記録して薬剤の瓶などに貼り付けてもよく、本発明に含まれる。
【００２６】
次に、取揃監査作業に移る。取揃監査人は、虹彩認証を行う人認証器１２０２によって認証を行う。人認証器１２０２は取揃監査人の認証情報を登録者情報と比較し、取揃監査を許可されているか否かをチェックする。登録されていない人が認証動作を行った場合には、「不許可」を取揃表示器１２０３に表示する。登録されている人が認証動作を行った場合には、「許可」を取揃表示器１２０３に表示し、以下の監査作業を許可する。
【００２７】
作業許可された取揃監査人の場合には、ＲＦＩＤリーダライタ１２０１は薬剤収納体１２０のＲＦＩＤタグ１２１の保存している管理情報を取得する。ＲＦＩＤタグ１２１の管理情報に基づいて、置かれている薬剤収納体１２０の取揃薬剤情報を取揃表示器１２０３に表示する。
【００２８】
図１４に取揃表示器１２０３への取揃薬剤情報の提示画面１９５５を示す。取揃えられるべき薬剤は、薬剤Ａが１個と薬剤Ｂが１個と薬剤Ｃが１個と薬剤Ｄが１個と輸液パックＥが１個である。
【００２９】
図１５に薬剤収納体１２０の薬剤取り揃えの一例を示す。薬剤収納体１２０には、薬剤払出部１０３において払い出された払出薬剤１９０１、１９０２と薬剤補充部１０４において補充された劇薬１９０５、１９０６と輸液パック１９０９が収納されている。払出薬剤１９０１は薬剤Ａに相当し、払出薬剤１９０２は薬剤Ｂに相当し、劇薬１９０５は薬剤Ｃに相当し、劇薬１９０６は薬剤Ｄに相当し、輸液パック１９０９は輸液パックＥに相当する。
【００３０】
このようにして薬剤が取り揃えられた後に、取揃監査人は、取揃表示器１２０３の表示と薬剤収納体１２０の取揃薬剤とを照合する。照合がＯＫの場合に、取揃監査人はボタン１２０９を押し、取揃監査を終了する。ＲＦＩＤリーダライタ１２０１は、取揃監査人情報を含む取揃監査情報を薬剤収納体１２０のＲＦＩＤタグ１２１に管理情報として記録する。ここで、取揃監査人情報を含む取揃監査情報に、取揃薬剤名やその個数やその取揃監査日時などを必要に応じて含めて記録保存する。ここで、取揃人と取揃監査人が同一人の場合には取揃監査人の人認証は不要であるが、作業を区切る意味から再度の人認証動作を入れることが好ましい。また、取揃間違いを低減させるために、取揃人と取揃監査人を変えることが好ましい。
【００３１】
図９に薬剤補充部１０４でのフローチャートを示す。薬剤補充部１０４では、
（ステップＢ１）取揃人を認証し、登録者情報と比較チェックする取揃人認証ステップ、
（ステップＢ２）薬剤収納体１２０のＲＦＩＤタグ１２１（情報保存デバイス）に保存されている管理情報（保存情報）に基づいて、薬剤収納体１２０の補充薬剤情報を提示する取揃提示ステップ、
（ステップＢ３）取揃人情報を含む取揃情報を薬剤収納体１２０のＲＦＩＤタグ１２１に記録する取揃記録ステップ、
（ステップＢ４）取揃監査人を認証し、登録者情報と比較チェックする取揃監査人認証ステップ、
（ステップＢ５）薬剤収納体１２０のＲＦＩＤタグ１２１に保存されている管理情報（保存情報）に基づいて、薬剤収納体１２０に取り揃える取揃薬剤情報を提示する取揃監査提示ステップ、
（ステップＢ６）取揃監査人情報を含む取揃監査情報を薬剤収納体１２０のＲＦＩＤタグ１２１に記録する取揃監査記録ステップ、
が行なわれる。ここで、取揃記録ステップ（ステップＢ３）は取揃監査記録ステップ（ステップＢ６）と同時に行っても良い。取揃人と取揃監査人が同一の場合には、取揃監査人認証ステップ（ステップＢ４）は省略できる。
【００３２】
図１の薬剤混合部１０５において、薬剤収納体１２０に取り揃えられた薬剤を必要に応じて混合する。処方指示の調剤指示情報には、混合する薬剤名とその分量が含まれている。例えば、輸液パックに所要分量の劇薬を混入させるといった情報である。図１５に示した薬剤収納体１２０には、薬剤払出部１０３において払い出された払出薬剤１９０１、１９０２と薬剤補充部１０４において補充された劇薬１９０５、１９０６と輸液パック１９０９が収納されている。ここでは、処方指示の調剤指示情報が、輸液パック１９０９に所要分量の劇薬１９０６を混合させることを指示しているものとする。
【００３３】
図５に薬剤混合部１０５で使用する薬剤混合棚１３００の構成図を示す。薬剤搬送体１２０は混合人によって薬剤混合棚１３００に運ばれる。混合人は虹彩認証を行う人認証器１３０２によって認証を行う。人認証器１３０２は混合人の認証情報を登録者情報と比較し、混合作業を許可されているか否かをチェックする。登録者情報には、作業許可されている薬剤師や看護師の虹彩情報と所属や氏名などが登録されている。登録されていない人が認証動作を行った場合には、「不許可」を混合表示器１３０３に表示する。登録されている人が認証動作を行った場合には、「許可」を混合揃表示器１３０３に表示し、以下の作業を許可する。
【００３４】
作業を許可された混合人は、薬剤収納体１２０を所定の置き場所（図５の破線部分）に置く。ＲＦＩＤリーダライタ１３０１は薬剤収納体１２０のＲＦＩＤタグ１２１を読み取り、ＲＦＩＤタグ１２１の管理情報を取得する。ＲＦＩＤタグ１２１に保存されている管理情報に基づいて、置かれている薬剤収納体１２０の混合薬剤情報を混合表示器１３０３に表示する。ここで、表示される混合薬剤情報は、混合する薬剤名やその分量やその混合手順などである。
【００３５】
混合人は、混合表示器１３０３に提示された混合薬剤情報に従って作業する。混合人は、薬剤収納体１２０から劇薬１９０６を取り出して、バーコードリーダ１３０８で薬剤名をチェックし、混合薬剤情報に示された所要分量を例えば注射器（図示せず）に吸引させる。続いて、混合人は、薬剤収納体１２０から輸液パック１９０９を取り出して、バーコードリーダ１３０８で薬剤名をチェックし、注射器内の劇薬１９０６を輸液パック１９０９に注入する。これにより、輸液パック１９０９に劇薬１９０６が混合される。混合人は、混合された輸液パック１９０９を薬剤収納体１２０に戻し、残った劇薬１９０６は廃棄する。このようにして薬剤の混合を終えると、混合人はボタン１３０９を押し、混合作業を終了する。ＲＦＩＤリーダライタ１３０１は、混合人情報を含む混合情報を薬剤収納体１２０のＲＦＩＤタグ１２１に管理情報として記録する。ここで、混合人情報を含む混合情報に、混合薬剤名やその個数（分量）やその混合日時などを必要に応じて含めて記録保存する。
【００３６】
次に、混合監査作業に移る。混合監査人は、虹彩認証を行う人認証器１３０２によって認証を行う。人認証器１３０２は混合監査人の認証情報を登録者情報と比較し、混合監査を許可されているか否かをチェックする。登録されていない人が認証動作を行った場合には、「不許可」を混合表示器１３０３に表示する。登録されている人が認証動作を行った場合には、「許可」を混合表示器１３０３に表示し、以下の混合監査作業を許可する。
【００３７】
作業許可された混合監査人の場合には、ＲＦＩＤリーダライタ１３０１は、薬剤収納体１２０のＲＦＩＤタグ１２１に保存されている管理情報を取得する。ＲＦＩＤタグ１２１の管理情報に基づいて、置かれている薬剤収納体１２０の混合監査薬剤情報を混合表示器１３０３に表示する。混合監査人は、混合表示器１３０３の混合監査薬剤情報を参照して薬剤収納体１２０の混合薬剤をチェックする。混合監査がＯＫの場合に、混合監査人はボタン１３０９を押し、混合監査作業を終了する。ＲＦＩＤリーダライタ１３０１は、混合監査人情報を含む混合監査情報を薬剤収納体１２０のＲＦＩＤタグ１２１に管理情報として記録する。ここで、混合監査人情報を含む混合監査情報に、混合薬剤名やチェック箇所や混合監査日時などを必要に応じて含めて記録保存する。ここで、混合人と混合監査人が同一人の場合には混合監査人の人認証は不要であるが、作業を区切る意味から再度の人認証動作を入れることが好ましい。また、混合間違いを低減させるために、混合人と混合監査人を変えることが好ましい。また、混合監査薬剤情報は必要に応じて提示すればよいが、混合監査薬剤情報としてチェック項目やチェックポイントを表示させれば混合監査の抜けを防ぐことができるので、表示させるのが好ましい。
【００３８】
図１０に薬剤混合部１０５でのフローチャートを示す。薬剤混合部１０５では、
（ステップＣ１）混合人を認証し、登録者情報と比較チェックする混合人認証ステップ、
（ステップＣ２）薬剤収納体１２０のＲＦＩＤタグ１２１に保存されている管理情報に基づいて、薬剤収納体１２０の混合薬剤情報を提示する混合提示ステップ、
（ステップＣ３）混合人情報を含む混合情報を前記薬剤収納体１２０のＲＦＩＤタグ１２１に記録する混合記録ステップ、
（ステップＣ４）混合監査人を認証し、登録者情報と比較チェックする混合監査人認証ステップ、
（ステップＣ５）薬剤収納体１２０のＲＦＩＤタグ１２１に保存されている管理情報に基づいて、薬剤収納体１２０の混合薬剤の混合監査薬剤情報を提示する混合監査提示ステップ、
（ステップＣ６）混合監査人情報を含む混合監査情報を薬剤収納体１２０のＲＦＩＤタグ１２１に記録する混合監査記録ステップ、
が行なわれる。ここで、混合記録ステップ（ステップＣ３）は混合監査記録ステップ（ステップＣ６）と同時に行っても良い。混合人と混合監査人が同一の場合には、混合監査人認証ステップ（ステップＣ４）は省略できる。
【００３９】
図１の薬剤搬送部１１０において、薬剤収納体１２０は搬送カート１８００に載せて病棟に運ばれる。ここで、搬送カート１８００に載せられて病棟に運ばれる薬剤搬送体１２０は、薬剤混合部１０５から出力された薬剤搬送体に限定されるものではない。混合作業が不要な薬剤収納体１２０は、薬剤補充部１０４から直接に薬剤搬送部１１０に移される。また、取揃補充作業と混合作業が不要な薬剤収納体１２０は、薬剤払出部１０３から直接に薬剤搬送部１１０に移される。これらの薬剤収納体１２０が混在して薬剤搬送部１１０に存在し、１台の搬送カート１８００に載せられて病棟に運ばれる。
【００４０】
図６に薬剤搬送部１１０で使用する搬送カート１８００の構成図を示す。搬送人は、薬剤収納体１２０を搬送カート１８００の取手部分に設けられたＲＦＩＤリーダライタ１８０１に近接させる。ＲＦＩＤリーダライタ１８０１は、薬剤収納体１２０のＲＦＩＤタグ１２１に保存されている管理情報を取得する。ＲＦＩＤタグ１２１に保存されている管理情報に基づいて、薬剤収納体１２０の搬送可否情報を搬送表示器１８０３に表示する。ここで、搬送可否情報としては、搬送カート１８００に載せられた薬剤収納体１２０が搬送許可であるか不許可であるかを示す情報である。搬送不許可の場合には、どの作業が未実施であるかも同時に表示される。搬送不許可の薬剤搬送体は、その未実施作業の場所（例えば、薬剤混合部１０５）に戻される。搬送許可の薬剤収納体１２０は、搬送カート１８００の搬送棚１８０５に収納される。
【００４１】
搬送人は、虹彩認証を行う人認証器１８０２によって認証を行う。人認証器１８０２は搬送人の認証情報を登録者情報と比較し、搬送作業を許可されているか否かをチェックする。登録者情報には、作業許可されている搬送人の虹彩情報と所属や氏名などが登録されている。搬送カート１８００はブレーキをかけて停止状態にある。登録されていない人が認証動作を行った場合には、「不許可」を搬送表示器１８０３に表示すると共に、搬送カート１８００はブレーキをかけて停止状態（ブレーキのロック状態）を保持する。登録されている人が認証動作を行った場合には、「許可」を搬送表示器１８０３に表示し、ブレーキのロックが解除され、搬送カート１８００は搬送人によって移動可能になる。所定個数の薬剤収納体１２０が載せられると、搬送人は搬送カート１８００を病棟に搬送する。また、搬送不許可の薬剤収納体１２０を一度でも検知した場合には、人認証器１８０２によって搬送作業を許可された後に、搬送人がリセットボタン１８０９を押さなければ搬送カート１８００はブレーキをかけた停止状態を保持する。なお、ＲＦＩＤリーダライタ１８０１や搬送表示器１８０３は、搬送カート１８００に取り付けられている必要性は無く、別の作業台に設置されていても良い。
【００４２】
図１１に薬剤搬送部１１０でのフローチャートを示す。薬剤搬送部１１０では、
（ステップＦ１）薬剤収納体１２０のＲＦＩＤタグ１２１に保存されている管理情報に基づいて、薬剤収納体１２０の搬送可否情報を提示する搬送提示ステップ、
（ステップＦ２）搬送人を認証し、登録者情報と比較チェックする搬送人認証ステップ、
（ステップＦ３）搬送許可の場合に、搬送カート１８００のブレーキのロックを解除する搬送ブレーキ解除ステップ、
が行なわれる。ここで、搬送提示ステップ（ステップＦ１）を所要個数の薬剤搬送体１２０を搬送カート１８００に載せるまで繰り返して行ない、その後に、搬送人認証ステップ（ステップＦ２）と搬送ブレーキ解除ステップ（ステップＦ３）を行うようにして良い。
【００４３】
なお、医師の判断によって患者への処方の全部または一部がキャンセルされた場合には、薬剤収納体１２０に取り揃えられた薬剤の全部または一部が払戻処理される。そして、払い戻された薬剤に関する払戻情報を薬剤収納体１２０のＲＦＩＤタグ１２１に管理情報として記録させる。これにより、薬剤収納体１２０のＲＦＩＤタグ１２１には、キャンセル状態も含む調剤作業に関する一連の経過情報が記録保存される。調剤作業の終わった薬剤収納体１２０のＲＦＩＤタグ１２１の管理情報（保存情報）は、処方指示に対する調剤作業管理情報として一括して読み取られ、病院の集中管理された別の記録媒体に記録保持される。これらの調剤作業管理情報は、目的に応じて適時参照して利用される。また、患者への投与の終わった薬剤収納体１２０に対して、ダミーデータを上書き記録することにより、ＲＦＩＤタグ１２１の管理情報を一括して消去することができる。本実施の形態では、薬剤払出部１０３において薬剤の払い出しの前にＲＦＩＤタグ１２１の不要情報クリアステップを行わせ、古い管理情報を消去している。これにより、看護師や薬剤師によってＲＦＩＤタグ１２１の管理情報のクリア作業を行う必要が無くなり、労力を低減することができる。
【００４４】
本実施の形態に示した調剤支援システムでは、処方発生部と薬剤払出部と薬剤補充部を有する調剤支援システムであって、
前記処方発生部は、
（Ａｓ１）調剤指示情報を含んだ処方指示を発生する処方発生ステップ、
を含んで構成され、
前記薬剤払出部は、
（Ａａ１）情報保存デバイスを有する薬剤収納体を使用し、前記処方指示に応じて払出薬剤収納器から払出薬剤を取り出して前記薬剤収納体に入れる薬剤払出ステップ、
（Ａａ２）前記薬剤収納体の情報保存デバイスに、前記処方指示の調剤指示情報と前記薬剤収納体に入れた薬剤の払出情報とに関係する管理情報を記録する払出記録ステップ、
を含んで構成され、
前記薬剤補充部は、
（Ａｂ１）取揃人を認証し、登録者情報と比較チェックする取揃人認証ステップ、
（Ａｂ２）前記薬剤収納体の情報保存デバイスの保存情報に基づいて、前記薬剤収納体の補充薬剤情報を提示する取揃提示ステップ、
（Ａｂ３）取揃人情報を含む取揃情報を前記薬剤収納体の情報保存デバイスに記録する取揃記録ステップ、
（Ａｂ４）取揃監査人を認証し、登録者情報と比較チェックする取揃監査人認証ステップ、
（Ａｂ５）前記薬剤収納体の情報保存デバイスの保存情報に基づいて、前記薬剤収納体に取り揃える取揃薬剤情報を提示する取揃監査提示ステップ、
（Ａｂ６）取揃監査人情報を含む取揃監査情報を前記薬剤収納体の情報保存デバイスに記録する取揃監査記録ステップ、
を含んで構成されている。
【００４５】
このように構成することにより、薬剤搬送に用いる薬剤収納体に直接薬剤を取り揃えることができ、薬剤の移し替え作業は不要になる。また、薬剤収納体毎に調剤作業管理が可能になる。すなわち、薬剤収納体に対応した補充薬剤情報を提示でき、取揃間違いを低減できる。薬剤収納体に対応した取揃薬剤情報を提示でき、取揃監査の間違いを低減できる。薬剤収納体に対応した取揃情報や取揃監査情報を記録保全できる。
【００４６】
本実施の形態に示した調剤支援システムでは、処方発生部と薬剤払出部と薬剤補充部と薬剤混合部を有する調剤支援システムであって、
前記処方発生部は、
（Ｂｓ１）調剤指示情報を含んだ処方指示を発生する処方発生ステップ、
を含んで構成され、
前記薬剤払出部は、
（Ｂａ１）情報保存デバイスを有する薬剤収納体を使用し、前記処方指示に応じて払出薬剤収納器から払出薬剤を取り出して前記薬剤収納体に入れる薬剤払出ステップ、
（Ｂａ２）前記薬剤収納体の情報保存デバイスに、前記処方指示の調剤指示情報と前記薬剤収納体に入れた薬剤の払出情報とに関係する管理情報を記録する払出記録ステップ、
を含んで構成され、
前記薬剤補充部は、
（Ｂｂ１）取揃人を認証し、登録者情報と比較チェックする取揃人認証ステップ、
（Ｂｂ２）前記薬剤収納体の情報保存デバイスの保存情報に基づいて、前記薬剤収納体の補充薬剤情報を提示する取揃提示ステップ、
（Ｂｂ３）取揃人情報を含む取揃情報を前記薬剤収納体の情報保存デバイスに記録する取揃記録ステップ、
（Ｂｂ４）取揃監査人を認証し、登録者情報と比較チェックする取揃監査人認証ステップ、
（Ｂｂ５）前記薬剤収納体の情報保存デバイスの保存情報に基づいて、前記薬剤収納体に取り揃える取揃薬剤情報を提示する取揃監査提示ステップ、
（Ｂｂ６）取揃監査人情報を含む取揃監査情報を前記薬剤収納体の情報保存デバイスに記録する取揃監査記録ステップ、
を含んで構成され、
前記薬剤混合部は、
（Ｂｃ１）混合人を認証し、登録者情報と比較チェックする混合人認証ステップ、
（Ｂｃ２）前記薬剤収納体の情報保存デバイスの保存情報に基づいて、前記薬剤収納体の混合薬剤情報を提示する混合提示ステップ、
（Ｂｃ３）混合人情報を含む混合情報を前記薬剤収納体の情報保存デバイスに記録する混合記録ステップ、
（Ｂｃ４）混合監査人を認証し、登録者情報と比較チェックする混合監査人認証ステップ、
（Ｂｃ５）前記薬剤収納体の情報保存デバイスの保存情報に基づいて、前記薬剤収納体の混合薬剤の混合監査薬剤情報を提示する混合監査提示ステップ、
（Ｂｃ６）混合監査人情報を含む混合監査情報を前記薬剤収納体の情報保存デバイスに記録する混合監査記録ステップ、
を含んで構成されている。
【００４７】
このように構成することによって、薬剤搬送に用いる薬剤収納体に直接薬剤を取り揃えることができ、薬剤の移し替え作業は不要になる。また、薬剤収納体毎に調剤作業管理が可能になる。すなわち、薬剤収納体に対応した補充薬剤情報を提示でき、取揃間違いを低減できる。薬剤収納体に対応した取揃薬剤情報を提示でき、取揃監査の間違いを低減できる。薬剤収納体に対応した混合薬剤情報を提示でき、混合間違いを低減できる。薬剤収納体に対応した混合薬剤の混合監査情報を提示でき、混合監査の間違いを低減できる。薬剤収納体に対応した取揃情報や取揃監査情報や混合情報や混合監査情報を記録保全できる。
【００４８】
本実施の形態に示した調剤支援システムでは、処方発生部と薬剤払出部と薬剤補充部と薬剤搬送部を有する調剤支援システムであって、
前記処方発生部は、
（Ｃｓ１）調剤指示情報を含んだ処方指示を発生する処方発生ステップ、
を含んで構成され、
前記薬剤払出部は、
（Ｃａ１）情報保存デバイスを有する薬剤収納体を使用し、前記処方指示に応じて払出薬剤収納器から払出薬剤を取り出して前記薬剤収納体に入れる薬剤払出ステップ、
（Ｃａ２）前記薬剤収納体の情報保存デバイスに、前記処方指示の調剤指示情報と前記薬剤収納体に入れた薬剤の払出情報とに関係する管理情報を記録する払出記録ステップ、
を含んで構成され、
前記薬剤補充部は、
（Ｃｂ１）取揃人を認証し、登録者情報と比較チェックする取揃人認証ステップ、
（Ｃｂ２）前記薬剤収納体の情報保存デバイスの保存情報に基づいて、前記薬剤収納体の補充薬剤情報を提示する取揃提示ステップ、
（Ｃｂ３）取揃人情報を含む取揃情報を前記薬剤収納体の情報保存デバイスに記録する取揃記録ステップ、
（Ｃｂ４）取揃監査人を認証し、登録者情報と比較チェックする取揃監査人認証ステップ、
（Ｃｂ５）前記薬剤収納体の情報保存デバイスの保存情報に基づいて、前記薬剤収納体に取り揃える取揃薬剤情報を提示する取揃監査提示ステップ、
（Ｃｂ６）取揃監査人情報を含む取揃監査情報を前記薬剤収納体の情報保存デバイスに記録する取揃監査記録ステップ、
前記薬剤搬送部は、
（Ｃｆ１）前記薬剤収納体の情報保存デバイスの保存情報に基づいて、前記薬剤収納体の搬送可否情報を提示する搬送提示ステップ、
を含んで構成されている。
【００４９】
このように構成することによって、薬剤搬送に用いる薬剤収納体に直接薬剤を取り揃えることができ、薬剤の移し替え作業は不要になる。また、薬剤収納体毎に調剤作業管理が可能になる。すなわち、薬剤収納体に対応した補充薬剤情報を提示でき、取揃間違いを低減できる。薬剤収納体に対応した取揃薬剤情報を提示でき、取揃監査の間違いを低減できる。薬剤収納体に対応した取揃情報や取揃監査情報を記録保全できる。薬剤収納体の搬送可否がチェックできるので、調剤未処理の薬剤収納体を病棟へ搬送する間違いを低減できる。
【００５０】
本実施の形態に示した調剤支援システムでは、処方発生部と薬剤払出部と薬剤補充部と薬剤混合部と薬剤搬送部を有する調剤支援システムであって、
前記処方発生部は、
（Ｄｓ１）調剤指示情報を含んだ処方指示を発生する処方発生ステップ、
を含んで構成され、
前記薬剤払出部は、
（Ｄａ１）情報保存デバイスを有する薬剤収納体を使用し、前記処方指示に応じて払出薬剤収納器から払出薬剤を取り出して前記薬剤収納体に入れる薬剤払出ステップ、
（Ｄａ２）前記薬剤収納体の情報保存デバイスに、前記処方指示の調剤指示情報と前記薬剤収納体に入れた薬剤の払出情報とに関係する管理情報を記録する払出記録ステップ、
を含んで構成され、
前記薬剤補充部は、
（Ｄｂ１）取揃人を認証し、登録者情報と比較チェックする取揃人認証ステップ、
（Ｄｂ２）前記薬剤収納体の情報保存デバイスの保存情報に基づいて、前記薬剤収納体の補充薬剤情報を提示する取揃提示ステップ、
（Ｄｂ３）取揃人情報を含む取揃情報を前記薬剤収納体の情報保存デバイスに記録する取揃記録ステップ、
（Ｄｂ４）取揃監査人を認証し、登録者情報と比較チェックする取揃監査人認証ステップ、
（Ｄｂ５）前記薬剤収納体の情報保存デバイスの保存情報に基づいて、前記薬剤収納体に取り揃える取揃薬剤情報を提示する取揃監査提示ステップ、
（Ｄｂ６）取揃監査人情報を含む取揃監査情報を前記薬剤収納体の情報保存デバイスに記録する取揃監査記録ステップ、
を含んで構成され、
前記薬剤混合部は、
（Ｄｃ１）混合人を認証し、登録者情報と比較チェックする混合人認証ステップ、
（Ｄｃ２）前記薬剤収納体の情報保存デバイスの保存情報に基づいて、前記薬剤収納体の混合薬剤情報を提示する混合提示ステップ、
（Ｄｃ３）混合人情報を含む混合情報を前記薬剤収納体の情報保存デバイスに記録する混合記録ステップ、
（Ｄｃ４）混合監査人を認証し、登録者情報と比較チェックする混合監査人認証ステップ、
（Ｄｃ５）前記薬剤収納体の情報保存デバイスの保存情報に基づいて、前記薬剤収納体の混合薬剤の混合監査薬剤情報を提示する混合監査提示ステップ、
（Ｄｃ６）混合監査人情報を含む混合監査情報を前記薬剤収納体の情報保存デバイスに記録する混合監査記録ステップ、
を含んで構成され、
前記薬剤搬送部は、
（Ｄｆ１）前記薬剤収納体の情報保存デバイスの保存情報に基づいて、前記薬剤収納体の搬送可否情報を提示する搬送提示ステップ、
を含んで構成され、ている。
【００５１】
このように構成することによって、薬剤搬送に用いる薬剤収納体に直接薬剤を取り揃えることができ、薬剤の移し替え作業は不要になる。また、薬剤収納体毎に調剤作業管理が可能になる。すなわち、薬剤収納体に対応した補充薬剤情報を提示でき、取揃間違いを低減できる。薬剤収納体に対応した取揃薬剤情報を提示でき、取揃監査の間違いを低減できる。薬剤収納体に対応した混合薬剤情報を提示でき、混合間違いを低減できる。薬剤収納体に対応した混合薬剤の混合監査情報を提示でき、混合監査の間違いを低減できる。薬剤収納体に対応した取揃情報や取揃監査情報や混合情報や混合監査情報を記録保全できる。薬剤収納体の搬送可否がチェックできるので、調剤未処理の薬剤収納体を病棟へ搬送する間違いを低減できる。
【産業上の利用可能性】
【００５２】
本発明の調剤支援システムは、搬送用の薬剤収納体に薬剤を取り揃え、正確な調剤作業管理を行うことができるので、病院での調剤作業を支援するシステムとして利用できる。
【図面の簡単な説明】
【００５３】
【図１】本発明の実施の形態１における調剤支援システムの構成図
【図２】本発明の実施の形態１における薬剤払出部１０３の主要部分の構成図
【図３】本発明の実施の形態１における薬剤払出部１０３の薬剤払出し方法の説明図
【図４】本発明の実施の形態１における薬剤補充部１０４で使用する薬剤補充棚１２００の構成図
【図５】本発明の実施の形態１における薬剤混合部１０５で使用する薬剤混合棚１３００の構成図
【図６】本発明の実施の形態１における薬剤搬送部１１０で使用する搬送カート１８００の構成図
【図７】実施の形態１における処方発生部１０１でのフローチャート
【図８】本発明の実施の形態１における薬剤払出部１０３でのフローチャート
【図９】本発明の実施の形態１における薬剤補充部１０４でのフローチャート
【図１０】本発明の実施の形態１における薬剤混合部１０５でのフローチャート
【図１１】本発明の実施の形態１における薬剤搬送部１１０でのフローチャート
【図１２】本発明の実施の形態１におけるＲＦＩＤタグ１２１の構成例を示す図
【図１３】本発明の実施の形態１における薬剤補充部１０４の補充薬剤情報の提示例を示す図
【図１４】本発明の実施の形態１における薬剤補充部１０４の取揃薬剤情報の提示例を示す図
【図１５】本発明の実施の形態１における薬剤収納体１２０に取り揃えられる薬剤の例を示す図
【図１６】従来の薬品設置システムの外観を示す図
【図１７】従来の薬品設置システムの情報処理装置の表示例を示す図
【符号の説明】
【００５４】
１０１    処方発生部
１０３    薬剤払出部
１０４    薬剤補充部
１０５    薬剤混合部
１１０    薬剤搬送部
１２０    薬剤収納体
１２１    ＲＦＩＤタグ
１１００  払出動作器
１１０１  払出薬剤収納器
１１０２  ベルトコンベア
１１０３  払出通信器
１２００  薬剤補充棚
１２０１  ＲＦＩＤリーダライタ
１２０２  人認証器
１２０３  取揃表示器
１２０８  バーコードリーダ
１３００  薬剤混合棚
１３０１  ＲＦＩＤリーダライタ
１３０２  人認証器
１３０３  混合表示器
１３０８  バーコードリーダ
１８００  搬送カート
１８０１  ＲＦＩＤリーダライタ
１８０２  人認証器
１８０３  搬送表示器
【図１】
2010233786.tif 000003
【図２】
2010233786.tif 000004
【図３】
2010233786.tif 000005
【図４】
2010233786.tif 000006
【図５】
2010233786.tif 000007
【図６】
2010233786.tif 000008
【図７】
2010233786.tif 000009
【図８】
2010233786.tif 000010
【図９】
2010233786.tif 000011
【図１０】
2010233786.tif 000012
【図１１】
2010233786.tif 000013
【図１２】
2010233786.tif 000014
【図１３】
2010233786.tif 000015
【図１４】
2010233786.tif 000016
【図１５】
2010233786.tif 000017
【図１６】
2010233786.tif 000018
【図１７】
2010233786.tif 000019